(57)【要約】      （修正有）【課題】半田による電線の硬化防止とコネクタを軽薄短小化すること。【解決手段】  導体３０２を絶縁体３０４で被覆してなるケーブル３００が取り付けられるコネクタ１であって、導体３０２と接続されるターミナル２１と、ケーブル３００の先端部３００ａを保持するケーブル保持具１６Ａ，１６Ｂと、これらの部材を被覆するためのシェルとを有し、シェル９には、これをハウジング７に装着したときに装着穴１１１Ａと対向する位置に貫通孔９７Ａが設けられ、ケーブル保持具１６Ａ，１６Ｂは、ケーブル３００を挟持する二脚一組の脚１６ｂからなる双脚形状部と、両脚を連結する基板部１６ａとを有し、ケーブル保持具１６Ａ，１６Ｂは、これが貫通孔９７Ａ経由で装着穴１１１Ａに装着されたときに騎馬状に挟持するとともに、基板部は、前記貫通孔９７Ａ／９７Ｂ内に位置される。【選択図】図５
2006244732.tif 000002
【特許請求の範囲】
【請求項１】
導体（３０２）を絶縁体（３０４）で被覆してなるケーブル（３００）が取り付けられるコネクタ（１）であって、
基台となるハウジング（７）と、
このハウジング（７）に保持され、前記ケーブル（３００）の導体（３０２）と接続されるターミナル（１７）と、
ハウジング（７）内に配置され、前記ケーブル（３００）の先端部（３００ａ）のうちの少なくとも一部を保持するケーブル保持具（１６Ａ，１６Ｂ）と、
これらの部材を被覆するために前記ハウジング（７）に装着されるシェル（９）とを有し、
前記ケーブル保持具（１６Ａ，１６Ｂ）は、前記ケーブル（３００）を前記ハウジング（７）との間で保持し、
前記ハウジング（７）には、前記ケーブル保持具（１６Ａ，１６Ｂ）を装着する装着穴（１１１Ａ，１１１Ｂ）が設けられ、
前記シェル（９）には、これを前記ハウジング（７）に装着したときに当該装着穴（１１１Ａ，１１１Ｂ）と対向する位置に貫通孔（９７Ａ，９７Ｂ）が設けられ、
前記ケーブル保持具（１６Ａ，１６Ｂ）は、前記ケーブル（３００）を挟持する二脚一組の脚（１６ｂ，１６ｂ）からなる双脚形状部と、両脚をそれらの一端で連結することで前記双脚形状部を一端固定他端自由にする基板部（１６ａ）とを有し、
当該ケーブル保持具（１６Ａ，１６Ｂ）は、その自由端側を先端にして前記貫通孔（９７Ａ／９７Ｂ）経由で前記装着穴（１１１Ａ，１１１Ｂ）に装着されたときに、前記ケーブル（３００）を前記双脚形状部および基板部（１６ａ）により騎馬状に挟持して保持するとともに、前記基板部（１６ａ）は、前記貫通孔（９７Ａ／９７Ｂ）内に位置することを特徴とするケーブル用コネクタ（１）。
【請求項２】
内部導体（３０２）を内部絶縁体（３０４）で被覆してなる信号線（３０６）と、
この信号線を被覆する外部導体（３０８）と、
この外部導体を被覆する外側絶縁体（３１０）とを含む複数の同軸ケーブル（３００）からなるフラット状のケーブルが取り付けられるケーブル用コネクタ（１）であって、
基台となるハウジング（７）と、
このハウジング（７）に保持され、前記同軸ケーブル（３００）の内部導体（３０２）と接続されるターミナル（１７）と、
ハウジング（７）内に配置され、前記同軸ケーブル（３００）の先端部（３００ａ）のうちの少なくとも一部を保持するケーブル保持具（１６Ａ，１６Ｂ）と、
これらの部材を被覆するために前記ハウジング（７）に装着されるシェル（９）とを有し、
前記ケーブル保持具（１６Ａ，１６Ｂ）は、前記同軸ケーブル（３００）を前記ハウジング（７）との間で保持し、
前記ハウジング（７）には、前記ケーブル保持具（１６Ａ，１６Ｂ）を装着する装着穴（１１１Ａ，１１１Ｂ）が設けられ、
前記シェル（９）には、これを前記ハウジング（７）に装着したときに当該装着穴（１１１Ａ，１１１Ｂ）と対向する位置に貫通孔（９７Ａ，９７Ｂ）が設けられ、
前記ケーブル保持具（１６Ａ，１６Ｂ）は、前記同軸ケーブル（３００）を挟持する二脚一組の脚（１６ｂ，１６ｂ）からなる双脚形状部と、両脚をそれらの一端で連結することで前記双脚形状部を一端固定他端自由にする基板部（１６ａ）とを有し、
当該ケーブル保持具（１６Ａ，１６Ｂ）は、その自由端側を先端にして前記貫通孔（９７Ａ／９７Ｂ）経由で前記装着穴（１１１Ａ，１１１Ｂ）に装着されたときに、前記同軸ケーブル（３００）を前記双脚形状部および基板部（１６ａ）により騎馬状に挟持して保持するとともに、前記基板部（１６ａ）は、前記貫通孔（９７Ａ／９７Ｂ）内に位置する
ことを特徴とするケーブル用コネクタ（１）。
【請求項３】
前記ケーブル保持具（１６Ａ，１６Ｂ）は良導性を有し、前記ハウジング（７）のうち当該ケーブル保持具（１６Ａ，１６Ｂ）が配置される箇所には、導電性を有する良導体（１９）が設けられていることを特徴とする請求項１又は２に記載のケーブル用コネクタ（１）。
【請求項４】
前記ケーブル保持具（１６Ａ，１６Ｂ）は、前記フラット状のケーブルを一端から数えて偶数番目の同軸ケーブル（３００Ａ）を保持する偶数ケーブル保持具（１６Ａ）と、奇数番目の同軸ケーブル（３００Ｂ）を保持する奇数ケーブル保持具（１６Ｂ）とからなり、これらに対応して、前記ハウジング（７）の装着穴（１１１Ａ，１１１Ｂ）および前記シェル（９）の貫通孔（９７Ａ，９７Ｂ）が形成されていることを特徴とする請求項３に記載のケーブル用コネクタ（１）。
【請求項５】
ハウジング（７）の前記装着穴（１１１Ａ，１１１Ｂ）およびシェル（９）の前記貫通孔（９７Ａ，９７Ｂ）は、前記同軸ケーブル（３００）をコネクタ（１）に装着したときに延在する方向において平行で、当該延在方向に対して直交する方向に偏倚されて配置されていることを特徴とする請求項４に記載のケーブル用コネクタ（１）。
【請求項６】
ハウジング（７）の前記装着穴（１１１Ａ，１１１Ｂ）は、前記ケーブル保持具（１６Ａ，１６Ｂ）が挿入される方向において先細りとされ、前記双脚形状部の二脚一組の脚（１６ｂ，１６ｂ）は、それらの間口（Ｗ１）が、前記装着穴（１１１Ａ，１１１Ｂ）の間口（Ｗ２）とほぼ同じであることを特徴とする請求項５に記載のケーブル用コネクタ（１）。
【発明の詳細な説明】
【技術分野】
【０００１】
本発明はケーブル用コネクタに関する。
【背景技術】
【０００２】
携帯電話機やパーソナルコンピュータ等、多量の情報を伝達するために高い周波数の信号を伝達するケーブルとして、同軸ケーブルが周知である。
【０００３】
同軸ケーブル３００は、図に示すように中心に位置する内部導体３０２を内部絶縁体３０４で被覆してなる信号線３０６と、信号線３０６を被覆する多数の電線を横巻き状又は網状にしてなる外部導体３０８と、この外部導体３０８を被覆する外部絶縁体３１０とからなる。
【０００４】
同軸ケーブル３００をコネクタに接続する技術の中に半田付け方式がある。
【０００５】
半田付け方式は、図に示すように外部絶縁体３１０及び内部絶縁体３０４を剥ぎ、外部導体３０８及び内部導体３０２を露出後、紐状に撚られた外部導体３０８を、図示しない平型の金属板で挟み半田付けするものである。
【０００６】
ところで半田方式では、同軸ケーブルとターミナルとを半田付けすると外部導体に半田が吸い上げられるいわゆる半田上がりを生じる場合がある。その場合、外部導体３０８が硬化してしまう。外部導体３０８が硬化してしまうと、同軸ケーブルがフレキシブルでなくなるため、同軸ケーブルの引き回しに支障が出たり、携帯機器内部の狭いスペースに同軸ケーブルを配置するのが困難となり、使い勝手が悪い。また、硬化した箇所に必要以上に外力が加わると、当該箇所に亀裂を生じてしまう虞がある。
【０００７】
一方、多量の情報を伝達するためにコネクタの多極化が進んでいるが、その場合、コネクタには多数のターミナルが並列される。そして、これらのターミナルには、多数の同軸ケーブルからなるフラット状のケーブルが接続される。
【０００８】
このようなフラット状のケーブルを有するコネクタは、各種機器に適用され、例えば折り畳み形式の携帯電話では、携帯電話の液晶画面側と操作ボタン側との間で信号を伝達するのに使用されている。そして、液晶画面側および操作ボタン側は、ヒンジを介して接合され、一方を他方に対して回転することで携帯電話は折り畳まれるが、ケーブルは、ヒンジ部分にも配置される。したがって、ヒンジ部分にあるケーブルに前記半田上がりによる硬化現象が生じていたとすると、携帯電話は折り畳みづらくなったり、ヒンジに形成されている図示しないケーブル挿通孔にコネクタを通し難くなったり、接触不良を招来したりする虞がある。
【０００９】
一方、携帯機器の小型化のニーズが高まると構成部品であるコネクタへの影響も大きく、従来よりも軽薄短小なコネクタの要請は一層高まっている。
【００１０】
なお、コネクタと同軸ケーブルその他の電線との接続技術としては、例えば特許文献１〜３を例示できる。
【特許文献１】特開２０００−２６０４９７
【特許文献２】特開平１１−２６０４３９
【特許文献３】特開平１１−２６０４４０
【発明の開示】
【発明が解決しようとする課題】
【００１１】
本発明はこのような実情に鑑みて為されたものであり、その解決しようとする課題は、コネクタに多数の同軸ケーブルを取り付ける場合において、同軸ケーブルへの半田上がりを防止し、もって同軸ケーブルの構成要素である電線が硬化しないようにするとともに、コネクタをこれまでよりも軽薄短小化することにある。
【課題を解決するための手段】
【００１２】
そこで、本発明では、次の手段を採用した。
【００１３】
すなわち、本発明のコネクタは、導体を絶縁体で被覆してなるケーブルが取り付けられるコネクタであって、基台となるハウジングと、このハウジングに保持され、前記ケーブルの導体と接続されるターミナルと、ハウジング内に配置され、前記同軸ケーブルの先端部のうちの少なくとも一部を保持するケーブル保持具と、これらの部材を被覆するために前記ハウジングに装着されるシェルとを有し、前記ケーブル保持具は、前記ケーブルを前記ハウジングとの間で保持し、前記ハウジングには、前記ケーブル保持具を装着する装着穴が設けられ、前記シェルには、これを前記ハウジングに装着したときに当該装着穴と対向する位置に貫通孔が設けられ、前記ケーブル保持具は、前記ケーブルを挟持する二脚一組の脚からなる双脚形状部と、両脚を連結する基板部とを有し、当該ケーブル保持具は、これが前記貫通孔経由で前記装着穴に装着されたときに、前記ケーブルを前記双脚形状部および基板部により騎馬状に挟持して保持するとともに、前記基板部は、前記貫通孔内に位置されることを特徴とすることを特徴とする。
【００１４】
本発明のコネクタは、ケーブル保持具を装着する装着穴がハウジングに設けられ、シェルには、この装着穴と同軸上に貫通孔が設けられ、この貫通孔経由で前記装着穴に前記ケーブル保持具を装着すると、前記ケーブルを前記ハウジングとの間で騎馬状に挟持し、その状態で、前記ケーブル保持具が、前記ハウジングに収納されるので、ケーブルをハウジングに保持するのに半田が不要になる。
【００１５】
また、ケーブル保持具は、これが前記貫通孔経由で前記装着穴に装着されたときに、その基板部が前記貫通孔内に位置するようになっているが、これを、シェルをハウジングに装着する前にハウジングの装着穴にケーブル保持具を装着してからハウジングをシェルでカバーする場合と比較すると、両者ともケーブル保持具の長さが同じで、ハウジングの装着穴への挿通量が同じであれば、本発明のケーブル保持具は、その基板部が前記シェルの貫通孔内に臨む分だけ、コネクタの高さ寸法を小さくできる。
【発明の効果】
【００１６】
このような本発明にあっては、電線が硬化しないようにできるとともに、コネクタをこれまでよりも軽薄短小化できる。
【発明を実施するための最良の形態】
【００１７】
以下、本発明の実施の形態（以下、実施形態）を添付した図面を参照して説明する。
【００１８】
図１は、本発明に係るコネクタ１の斜視図であって、相手方コネクタ２に組み付ける前の状態を相手方コネクタ２と共に示す斜視図である。また、図２は相手方コネクタ２と組み合わせた状態を示す斜視図である、なお、図２において図示を省略してあるが、同軸ケーブル３００の他方の端部にもコネクタ１は取り付けられ、相手方コネクタ２と組み付けられるようになっている。図３は、想像線で示した折り畳み形式の携帯電話３に両コネクタ１，２を適用した場合を例示している。
【００１９】
同軸ケーブル３００の一端に設けられたコネクタ１は、携帯電話３の液晶画面側３ａの基板（図示せず）に設けられた相手方コネクタ２と接続され、図示を省略した同軸ケーブル３００の他端に設けられた別のコネクタ１は、携帯電話３の操作ボタン側３ｂの基板に設けられた別の相手方コネクタ２と接続されている。よって携帯電話３の液晶画面側３ａと操作ボタン側３ｂとの間では、コネクタ１および相手コネクタ２を両端に有する同軸ケーブル３００を経由して、操作ボタン３ｂの側から液晶画面３ａの側に向けて信号が伝達される。
【００２０】
コネクタ１は、図１，図４〜図７等からわかるように、コネクタ１の基台となるハウジング７と、このハウジング７に含まれるターミナルその他の部品を被覆するためにハウジング７に装着されるシェル９とを有している。
【００２１】
そして、シェル９およびハウジング７の間では、既述の同軸ケーブル３００がフラット状に多数並列され、それらの先端部３００ａ（図５，図６参照）がサンドイッチ状にされて取り付けられる（図４〜図６参照）。
【００２２】
ハウジング７は、合成樹脂その他の絶縁性樹脂でできており、例えば図４からわかるように、平面形状で長四角形状とされ、同軸ケーブル３００の延びる方向に対して直交方向に配置される。またハウジング７は、同軸ケーブル３００の先端部（以下、ケーブル先端部）３００ａが保持されるケーブル保持部１１と、相手方コネクタ２との接合部であり、同軸ケーブル３００と同じ数のターミナル１７が差し込まれるターミナル差込部１３と、ケーブル保持部１１とターミナル差込部１３との中間に位置する中間部１５とを有する（図４〜図６参照）。
【００２３】
これら３つの部位により、コネクタ１を相手方コネクタ２に取り付ける場合において、ハウジング７は、これを横断面で見ると中央部において下方に開口する窪みを有するごとき矩形状をしている（図５参照）。
【００２４】
なお、この明細書において上下とは、各図に正対した場合における上方側及び下方側を指すものとし、前後とは、同軸ケーブル３００をコネクタ１に取り付けた場合における同軸ケーブル３００の延びる方向においてターミナル差込部１３のある側が前であり、ケーブル保持部１１のある側が後である。そして左右とは、同軸ケーブル３００の延びる方向に正対した場合における右側および左側である。なお左右方向のことを幅方向という。
【００２５】
ケーブル保持部１１は、複数の同軸ケーブル３００の外部導体３０８を横断状に交差する状態で保持するとともに（図４〜図１０等参照）、導電性金属からなる一対のケーブル保持具１６Ａ，１６Ｂが複数対と、ケーブル保持具１６Ａ，１６Ｂと同様、導電性金属でできており、複数対のケーブル保持具１６Ａ，１６Ｂと電気的に接触する１つのグランドバー１９とを有する。
【００２６】
ケーブル保持具１６Ａおよび１６Ｂは、ケーブル保持部１１における取り付け位置が異なるだけで全くの同一形状である。よって、一方のケーブル保持具１６Ａのみ説明する。
【００２７】
図１１や図１２に示すように、ケーブル保持具１６Ａは、左右方向に延びる基板部１６ａと、この基板部１６ａから下方に向けて平行に延びる一端固定他端自由な片持ち梁状の多数の脚１６ｂとを有し、これら脚が二脚一組で下方に開口しかつ同軸ケーブル３００と同数かつ逆Ｕ字状をした溝１６ｃが多数形成されてなるものである。溝１６ｃを形成する脚１６ｂ同士の各間口Ｗ１は（図１２，図３３参照）、ハウジング７に設けられケーブル保持具１６Ａ，１６Ｂを装着するためのケーブル保持具装着穴１１１Ａおよび１１１Ｂの各間口Ｗ２（図３３参照）と、ほぼ同じ大きさにされている。
【００２８】
一対のケーブル保持具１６Ａと１６Ｂとには、並列されている複数の同軸ケーブル３００を端（図４の左側）から数えた場合において奇数番目の同軸ケーブル３００Ａを保持するものがケーブル保持具１６Ａであり、偶数番目の同軸ケーブル３００Ｂを保持するものがケーブル保持具１６Ｂであるという違いがある（図４，図８〜図１０参照）。
【００２９】
また、ケーブル保持具１６Ａおよび１６Ｂは、それぞれケーブル保持部１１に設けられた多数のケーブル保持具装着穴１１１Ａおよび１１１Ｂと対応関係にあり（図４，図８，図９参照）、ケーブル保持具装着穴１１１Ａおよび１１１Ｂには、ケーブル保持具１６Ａおよび１６Ｂの各隣接する一対の脚１６ｂ，１６ｂ同士が一組となってケーブル保持具装着穴１１１Ａおよび１１１Ｂに挿入される。
【００３０】
これら一対一組の脚１６ｂ，１６ｂは、複数のケーブル保持具装着穴１１１Ａ又は１１１Ｂに同時に挿入される。なお、一対一組の脚１６ｂ，１６ｂのことを双脚形状部という。
【００３１】
ケーブル保持具装着穴１１１Ａおよび１１１Ｂの総数は、同軸ケーブル３００と同数である。そしてケーブル保持具装着穴１１１Ａおよび１１１Ｂは、これらを前後方向から垂直断面で見ると、截頭二等辺三角形を倒立させたごとき形状でかつ開口が上方で大きく下方で小さい先細りの形状をした穴部である（図８，図９，図３３，図３４参照）。ケーブル保持具装着穴１１１Ａ同士および１１１Ｂ同士の間は、仕切壁１１３とされている（図４参照）。
【００３２】
ケーブル保持具１６Ａおよび１６Ｂは、同軸ケーブル３００の外部導体３０８と当接した状態で同軸ケーブル３００を前記双脚形状部および基板部１６ａにより騎馬状に挟持して保持すべく、ケーブル保持具装着穴１１１Ａ，１１１Ｂに嵌合される（図５，図６参照）。
【００３３】
ケーブル保持具１６Ａ，１６Ｂは、前後方向において平行かつ左右方向に偏倚されて配置される（図４，図８，図９参照）。これを実現するために、ケーブル保持具１６Ａ，１６Ｂが挿入されるケーブル保持具装着穴１１１Ａおよび１１１Ｂは、それぞれ前後方向において平行でかつ左右方向に偏倚された状態で等間隔に多数、ハウジング７の後縁に沿って直線状に形成されている（図４，図８，図９，図２４，図２５参照）。
【００３４】
ケーブル保持具１６Ａ，１６Ｂをケーブル保持具装着穴１１１Ａ，１１１Ｂに挿入することで、同軸ケーブル３００の外部導体３０８がグランドバー１９とケーブル保持具１６Ａ，１６Ｂとによって上下で挟み込まれるとともに電気的に接触する（図５，図６，図８，図１０，図３３，図３４参照）。
【００３５】
グランドバー１９は、ケーブル保持部１１の後方からケーブル保持部１１を上下および後方の三方から挟み込むようにして組み付けられるようになっており（図４参照）、このためグランドバー１９は、横断面で見て溝形鋼を横倒しにした時の横断面のごとき形状となるように、前方および左右に開口した中空四角柱状とされている。またグランドバー１９の上面には、ケーブル保持具装着穴１１１Ａおよび１１１Ｂとそれぞれ対向関係にある貫通孔１９１Ａおよび１９１Ｂが、ケーブル保持具装着穴１１１Ａおよび１１１Ｂと同数形成されている（図４，図６，図２６等参照）。
【００３６】
よって貫通孔１９１Ａおよび１９１Ｂは、それぞれ前後方向において平行でかつ左右方向に偏倚された状態で等間隔に多数、直線状に形成されている。
【００３７】
よって、ケーブル保持部１１の後方からグランドバー１９を組み付けると、ケーブル保持具装着穴１１１Ａは貫通孔１９１Ａに対して、およびケーブル保持具装着穴１１１Ｂは貫通孔１９１Ｂに対して、上下方向において同一軸線上に位置するようになる（図８，図９参照）。
【００３８】
ハウジング７のターミナル差込部１３は、ターミナル１７が上方から圧入される差込孔１３１が形成されている（図４〜図６参照）。差込孔１３１は、前後方向に延びる長孔であり、その内部には（図５，図６参照）、ターミナル１７が外嵌されることでこれを保持するターミナル保持部１３３が形成されている。
【００３９】
ターミナル１７は、同軸ケーブル３００の内部導体３０２と半田によって接続される端子であり、薄肉の金属板を加工して形成したものである。また図４〜図６，図１３，図１４，図１８〜図２０，図３５に示すように、ターミナル１７は、これをターミナル差込部１３に差し込んだときの状態において、前後方向に間隔を開けて設けられた前立脚１７１ｆ，後立脚１７１ｒと、これらの脚の上に設けられ、両脚１７１ｆ，１７１ｒをそれらの一端で連結する連結部１７２を有しており、恰も鳥居のごとき形状をした双脚形状をしている。
【００４０】
後立脚１７１ｒの内側には、差込孔１３１に差し込まれたターミナル１７が外れないようにするための係止片１７３が形成されている（図１３，図１４参照）。ターミナル１７は、各立脚１７１ｆ，１７１ｒの自由端側をターミナル１７の先端としてターミナル差込部１３の差込孔１３１に収納される。
【００４１】
ターミナル１７を差込孔１３１に差し込むと、係止片１７３がターミナル保持部１３３に食い込むため（図５，図６参照）、ターミナル１７は外れなくなる。
【００４２】
図１３〜図２３に示すように、連結部１７２は、同軸ケーブル３００の内部導体３０２と半田される領域である半田領域１７４を有し、この半田領域１７４にはフィレット収容のために連結部１７２の長手方向に沿って長く形成された窪み１７４ａがある。窪み１７４ａはその横断面で底面が弧状である（図１３，図２１参照）。窪み１７４ａは打刻によって形成される。
【００４３】
半田領域１７４の形成箇所は、連結部１７２の一面であって、ターミナル１７の差し込み方向と反対方向に位置する面である（図１３における上面）。
【００４４】
また、半田領域１７４は、ターミナル１７の連結部１７２において、半田領域１７４が形成されていない他の平面域１７６に比べて左右方向において幅広であり（図１３〜図１８参照）、当該半田領域１７４をこのように幅広に形成することで、他の平面域１７６との境界部分に段差１７８が形成されている（図１３〜図１９参照）。
【００４５】
当該段差１７８があることにより、連結部１７２の両側面には、半田領域１７４に連続しかつ両側面における他の側面域１７５よりも突出した平坦な島状領域である段差部１７９が形成される（図１３〜図２０参照）。段差部１７９は、非段差部を殴打することで形成する。
【００４６】
ハウジング７の中間部１５は、図４〜図６に示すように、同軸ケーブル３００の内部絶縁体３０４が設置される内部絶縁体設置部１５１を有する。内部絶縁体設置部１５１は、左右方向において、同軸ケーブル３００の数と同数連続して形成されている。また、内部絶縁体設置部１５１は、そこに内部絶縁体３０４を設置したときにその座りが良いように、Ｓの字を横倒しにしたごとき断面形状であり、当該断面のうち内部絶縁体３０４が設置
される部分の曲率は、内部絶縁体３０４の曲率と同じにされている（図４，図２４〜図２７参照）。
【００４７】
コネクタ１のシェル９は導電性を有する金属でできている。またシェル９は、ハウジング７をカバーするものであるから、ハウジングと同様、平面形状で長四角形状とされている（図４参照）。そして、シェル９の前縁は、下方から後方へ折り返し状に曲げられた折返し部９１とされ（図５参照）、シェル９の両側縁はそれらの後部が下方に垂下され、ハウジング７をそのケーブル保持部１１において両側から抱きかかえるように、先端が内側に折り曲げられた両脇腕９３ｆ，９３ｒとされている（図１，図４等参照）。この時、両脇腕９３ｆ，９３ｒがグランドバー１９の底部に当接した状態となり、電気的に接触する（図５，図８〜図１０等参照）。また両側縁のうち前縁寄りには、コネクタ１を相手方コネクタ２と組み付けるための係止片９５ｆ，９５ｒが形成されている（図１，図２参照）。
【００４８】
係止片９５ｆ，９５ｒは、下方に垂下された舌片をその中央部で上方へ折り返すことで垂直断面でほぼＵ字形にされた形状体であり、その開口を閉じるように外力が加わると、弾撥力を生じるようになっている。そして、その先端は側方へわずかに折り曲げられている。
【００４９】
シェル９の天井面におけるほぼ後半面には、その後縁に沿って左右方向に延びる浅めで長四角形状をした平面凹部９７が形成されている。平面凹部９７には、ケーブル保持具１６Ａ，１６Ｂが挿通される貫通孔９７Ａ，９７Ｂが、図４に示すように、ケーブル保持具１６Ａ，１６Ｂと同数（図では１０孔）形成されている。貫通孔９７Ａ，９７Ｂも貫通孔１９１Ａ，１９１Ｂおよびケーブル保持具装着穴１１１Ａ，１１１Ｂと同様、前後方向において平行かつ左右方向に偏倚されて形成されているが（図４，図８，図９参照）、貫通孔９７Ａ，９７Ｂの方が大きい。
【００５０】
そしてシェル９をハウジング７に装着したときに、シェル９の貫通孔９７Ａ，９７Ｂが、グランドバー１９の貫通孔１９１Ａ，１９１Ｂおよびハウジング７のケーブル保持具装着穴１１１Ａ，１１１Ｂと対向するようにされている（図５及び図６参照）。
【００５１】
なお、ケーブル保持具１６Ａおよび１６Ｂを既述のように、ケーブル保持具装着穴１１１Ａ，１１１Ｂに嵌合したときに（図５，図６参照）、これらケーブル保持具１６Ａおよび１６Ｂの基板部１６ａが、前記貫通孔９７Ａ／９７Ｂ内に臨むように（図５，図６，図８および図９参照）、ケーブル保持具１６Ａおよび１６Ｂの脚１６ｂの長さおよびハウジング７のケーブル保持具装着穴１１１Ａ，１１１Ｂの深さ寸法その他の寸法が設定されている。また、基板部１６ａは、 幅方向において、貫通孔９７Ａ，９７Ｂよりもわずかに大きくされ、よってケーブル保持具１６Ａおよび１６Ｂをハウジング７に完全に嵌合すると、基板部１６ａは、貫通孔９７Ａ／９７Ｂに対してしまり嵌め状態になるため、抜けが防止されると共に、シェル９とケーブル保持具１６Ａ，１６Ｂとの電気的な接触が確実になる。
【００５２】
次にこのようなコネクタ１の組み付け手順（１）〜（６）を図２４〜図３２およびこれらに関連する図を参照しながら説明する。なお、同軸ケーブル３００は前もって外皮が剥離され、内部絶縁体３０４から内部導体３０２が露出された信号線３０６と、その直後に位置し外部絶縁体３１０が残されている残皮部分３１０’と、残皮部分３１０’の直後に位置し外部絶縁体３１０のみが剥離され外部導体３０８が露出された部位とを有する先端部３００ａ（図５及び図６参照）が形成されているものとする。
（１）ハウジング７の差込孔１３１にターミナル１７を差し込んで、ターミナル１７をハウジング７取り付ける（図２４，図２５参照）。
（２）グランドバー１９をケーブル保持部１１に取り付ける（図２５，図２６参照）。
（３）ターミナル１７と同軸ケーブル３００の内部導体３０２とを半田付けする（図１８〜図２３，図２７参照）。図１８〜図２３において符号Ｈが示すものは半田（線状半田）である。また符号Ｈｉが示唆するものは半田融着装置（パルスヒート又は半田鏝）である。
【００５３】
半田付けの手順は、図１８および図２１に示すように、窪み１７４ａ上において、半田Ｈをターミナル１７の長手方向に対して直交させ、その上に同軸ケーブル３００の内部導体３０２をターミナル１７と平行になるように載せる（手順１）。
【００５４】
次に図１９および図２２に示すように、半田融着装置（パルスヒート又は半田鏝）Ｈｉを内部導体３０２の上に載せて加熱し、半田を溶融させる（手順２）。
【００５５】
溶融した半田Ｈは図２０および図２３に示すように、窪み１７４ａに入り込み、そこでフィレットＦｈ(グラデーション部分)を形成し、半田付け作業が終了する（手順３）。
（４）同軸ケーブル３００がターミナル１７に半田付けされた状態のハウジング７をシェル９で被覆する（図２７，図２８参照）。
（５）ケーブル保持具１６Ａを貫通孔９７Ａ，貫通孔１９１Ａ，ケーブル保持具装着穴１１１Ａに挿通する（図２９，図３０，図３３，図３４，図８，図５，図７参照）。
（６）ケーブル保持具１６Ｂを貫通孔９７Ｂ，貫通孔１９１Ｂ，ケーブル保持具装着穴１１１Ｂに挿通する（図３１，図３２，図９，図７参照）。
【００５６】
次に図１，図２，図５および図６を参照しながら、相手方コネクタ２について説明する。
【００５７】
相手方コネクタ２は、合成樹脂その他の絶縁性樹脂からなる相手方ハウジング２１と、この相手方ハウジング２１に装着され、コネクタ１と相手方コネクタ２とが嵌合されると（図５参照）、当該コネクタ１のターミナル１７と接触する相手方ターミナル２７と、相手方ハウジング２１を被覆する相手方シェル２９とを有する。
【００５８】
相手方ハウジング２１は、ハウジング７と同様、平面形状で長四角形状とされている。また、相手方ハウジング２１は、相手方ターミナル２７が差し込まれる部位であって、相手方ターミナル２７の数と同数が長手方向（左右方向）に並列して設けられる相手方ターミナル差込部２３を有する（図１，図５参照）。また、相手方ハウジング２１の後縁部両側には、相手方シェル２９を取り付けるための係止突起２１１が形成されている（図１参照）。
【００５９】
相手方ターミナル２７は、薄肉の金属板を加工して形成したものであり、図５および図６からわかるように、Ｅの字を横倒しにしたごとき形体の主部２７１とＬの字を横倒しにしたごとき形体の延在部２７３とを有し、これらを前後方向に直列して連結したごとき形状をしている。そして、相手方ターミナル２７は、これをその主部２７１を相手方ハウジング２１の相手方ターミナル差込部２３に圧入固定することで相手方ハウジング２１に取り付けられるように、主部２７１には圧入片２７１ａが設けられており、これに対するように相手方ターミナル差込部２３には、圧入孔２３ａが設けられている（図５及び図６参照）。
【００６０】
延在部２７３は、コネクタ１と相手方コネクタ２とを結合したときに延在部２７３の空間Ｓ内にターミナル１７が内嵌される部分である（図５，図６参照）。そして、その先端はターミナル１７側に屈曲した突起状の先端部２７３ａとされ、先端部２７３ａがコネクタ１のターミナル１７の後立脚１７１ｒと接触することで、コネクタ１と相手方コネクタ
２との間での電気的な接触が行われるようになっている。
【００６１】
相手方シェル２９は、当該シェル２９がコネクタ１のシェル９と結合することで、コネクタ１と相手方コネクタ２とを組み付けるためのものである。相手方シェル２９は、相手方ハウジング２１の前縁部および両側部を覆うようになっており、相手方コネクタ２の前縁部には相手方コネクタ２に嵌合するコネクタ１の誘い込み、及び逆押し防止のための規制板２９１が立ち上げ状に設けられ、規制板２９１の両側には、相手方ハウジング２１の両側部を覆う覆部２９３ｆ，２９３ｒが設けられている（図１，図２参照）。
【００６２】
覆部２９３ｆ，２９３ｒには、シェル９の係止片９５ｆ，９５ｒと係合する係合孔２９５ｆ，２９５ｒが設けられている（図１，図２参照）。係合孔２９５ｆ，２９５ｒは、シェル２９の係止片９５ｆ，９５ｒに外力が加えられず、したがってその開口が閉じられていない状態にある時の係止片９５ｆ，９５ｒの厚み寸法よりも幅方向（左右方向）において幾分大きな寸法とされている。さらに係合孔２９５ｆ，２９５ｒ間の距離は、係止片９５ｆ，９５ｒ間の距離より、わずかに小さく設定されている。
【００６３】
また、覆部２９３ｆ，２９３ｒの各後面には、相手方ハウジング２１の係止突起２１１と係合する係合孔２９７が形成されている。このようなコネクタ１と相手方コネクタ２との組み付けを行うには、相手方コネクタ２の上方からコネクタ１を取り付ける（図１，図２，図５および図６参照）。
【００６４】
この時、コネクタ１の係止片９５ｆ，９５ｒが、相手方コネクタ２の係合孔２９５ｆ，２９５ｒに入るようにコネクタ１および相手方コネクタ２の向きを揃える。係合孔２９５ｆ，２９５ｒは、シェル９の係止片９５ｆ，９５ｒに外力が加わっていない時の厚み寸法よりもその幅方向（左右方向）において大きい小さいため、係止片９５ｆ，９５ｒは、これが係合孔２９５ｆ，２９５ｒに容易に押し込まれるが、係合孔２９５ｆ，２９５ｒ間の距離は、係止片９５ｆ，９５ｒ間の距離より、わずかに小さく設定されているため、コネクタ１と相手方コネクタ２とを組み付けると、コネクタ１の係止片９５ｆ，９５ｒには、それらの開口が閉じられるように相手方コネクタ２から外力が加わる。このため、係止片９５ｆ，９５ｒには弾撥力が生じ、この弾撥力によって係合孔２９５ｆ，２９５ｒから係止片９５ｆ，９５ｒは抜けなくなる。したがって、コネクタ１と相手方コネクタ２との結合が強固な状態で、コネクタ１と相手方コネクタ２とが組み合わされる。
【００６５】
次に上記した構成のコネクタ１の作用効果について述べる。
【００６６】
コネクタ１のターミナル１７には窪み１７４ａが形成されているので、溶融した半田Ｈは窪み１７４ａに収容される。このため、溶融した半田Ｈの大半は、窪み１７４ａの周囲に広がらずにそこでフィレットＦｈを形成する（図１８〜図２３）。よって、半田領域１７４に窪み１７４ａが無い従来のターミナルの場合（図３５（ｂ）参照）と比べ、半田Ｈはターミナル１７の表面を広がり難くなる（図３５（ａ）参照）。窪み１７４ａにフィレットＦｈが形成されることで、ターミナル１７とフィレットＦｈとの結合は立体的になり、体積が増大し、恰もターミナル１７に根が生えたようになる（図２３参照）。
【００６７】
また窪み１７４ａは、その横断面形状で底面が弧状であるから、同じく底面が矩形状の場合と比べ、底面の溶融半田との接触面積が大きくなる（図２３参照）。よって、ターミナル１７と内部導体３０２との結合力を一層高めることができる。
【００６８】
さらに、コネクタ１は島状領域である段差部１７９が形成されているので、譬え溶融した半田Ｈの量が多めであっても、図３５（ａ）に示すように段差部１７９の周囲に溶融した半田Ｈが回り込むため、図３５（ｂ）のように段差部１７９が形成されていない場合に
比べ、溶融した半田Ｈが他の側面域１７５に不必要に拡がるのを抑制する。その結果、前立脚１７１ｆ及び後立脚１７１ｒの、相手方ターミナル２７の先端部２７３ａと接触する部分に、半田が流れ込むことを防止している。
【００６９】
この結果、フィレットＦｈを介してターミナル１７に結合される同軸ケーブル３００の内部導体３０２のターミナル１７に対する結合力は、フィレットＦｈの幅寸法を小さくしてもその強度を保持できるので、ターミナル１７と内部導体３０２との結合力をこれまで通り維持しながら、ターミナル１７の幅寸法を小さくできる。よって、コネクタ１のターミナル１７が並列される方向における寸法を小さくできる。
【００７０】
また、コネクタ１は、ケーブル保持具１６Ａ，１６Ｂを装着する装着穴１１１Ａ，１１１Ｂがハウジング７に設けられ、シェル９には、この装着穴１１１Ａ，１１１Ｂと対向する貫通孔９７Ａ，９７Ｂが設けられ、この貫通孔９７Ａ，９７Ｂ経由で前記装着穴１１１Ａ，１１１Ｂにケーブル保持具１６Ａ，１６Ｂを装着すると、ケーブル保持具１６Ａ，１６Ｂは、同軸ケーブル３００を騎馬状に挟持した状態でハウジング７に収納されるので、同軸ケーブル３００をハウジング７に保持するのに半田が不要になる。
【００７１】
そして、ケーブル保持具１６Ａ，１６Ｂは、これが前記貫通孔９７Ａ，９７Ｂ経由でケーブル保持具装着穴１１１Ａ，１１１Ｂに装着されたときに、基板部１６ａが前記貫通孔９７Ａ，９７Ｂ内に位置するようになっているが（図５，図６，図８および図９参照）、この状態を、ハウジング７のケーブル保持具装着穴１１１Ａ，１１１Ｂにケーブル保持具１６Ａ，１６Ｂを装着してからハウジング７を貫通孔９７Ａ，９７Ｂの無いシェルで被覆する場合と比較すると、両者ともケーブル保持具１６Ａ，１６Ｂの脚１６ｂの長さが同じで、ケーブル保持具装着穴１１１Ａ，１１１Ｂへの当該脚１６ｂの挿通量が同じであれば、本コネクタ１に係るケーブル保持具１６Ａ，１６Ｂは、その基板部１６ａがシェル９の貫通孔９７Ａ，９７Ｂ内に臨むので、その分だけコネクタ１の高さ寸法Ｈを小さくできることがわかる。
【００７２】
図３６は、実際の比較例である。図３６（ａ）は本施形態に係るシェル９であり、同（ｂ）は貫通孔のないシェル９Ａが適用されたコネクタ１Ａである。高さ寸法が寸法Ｃだけ、すなわちケーブル保持具１６Ａ，１６Ｂの基板部１６ａがシェル９の貫通孔９７Ａ，９７Ｂ内に臨んだ分だけ小さくなったことがわかる。なお、図３６（ａ），（ｂ）で同一部材には同一符号を付してある。
【００７３】
さらに、コネクタ１にあっては、ケーブル保持具１６Ａ，１６Ｂを用いて同軸ケーブル３００をハウジング７に保持し、ハウジング７に同軸ケーブル３００を保持するのに半田は使用しないため、半田上がりによる電線硬化を防止できる。
【００７４】
さらにまた、多数の同軸ケーブル３００を並列することでフラット状したケーブルを一端（図４中、左側）から数えて偶数番目の同軸ケーブル３００Ａおよび奇数番目の同軸ケーブル３００Ｂをそれぞれ保持するケーブル保持具を偶数ケーブル保持具１６Ａおよび奇数ケーブル保持具１６Ｂに分けているとともに、当該ケーブル保持具１６Ａ，１６Ｂを前後方向において平行かつ左右方向に偏倚させて配置できるようになっているので、偶数ケーブル保持具１６Ａは偶数番目の同軸ケーブル３００Ａのみを確実に保持し、奇数ケーブル保持具１６Ｂは奇数番目の同軸ケーブル３００Ｂを確実に保持する。したがって、保持が不十分な同軸ケーブル３００が存在しないようにできる。
【００７５】
そして、当該ケーブル保持具１６Ａ，１６Ｂの各脚は１６ｂは、これらが、ハウジング７のケーブル保持具装着穴１１１Ａ，１１１Ｂに挿入されると、ケーブル保持具装着穴１１１Ａおよび１１１Ｂの各間口Ｗ２は、脚１６ｂ同士の各間口Ｗ１とほぼ同じ大きさにさ
れており、ケーブル保持具装着穴１１１Ａ，１１１Ｂは、垂直断面でみると截頭二等辺三角形を倒立させたごとき上方で大きく下方で小さな先細りの穴部であるから、ケーブル保持具１６Ａ，１６Ｂをそれぞれケーブル保持具装着穴１１１Ａ，１１１Ｂに深く挿入するほどケーブル保持具１６Ａ，１６Ｂの各双脚形状部の間の間隔は狭まるため、それに応じて双脚形状部に挟持された同軸ケーブル３００を保持する力も大きくなる。
【００７６】
よって同軸ケーブル３００の接続の信頼性が高まる。このため、ケーブル保持具１６Ａ，１６Ｂをケーブル保持具装着穴１１１Ａ，１１１Ｂに挿入するだけで同軸ケーブル３００の一本一本を確実に挟み込むことができる。しかも、同軸ケーブル３００は、ケーブル保持具１６Ａ，１６Ｂの基板部１６ａおよびグランドバー１９で、同軸ケーブル３００の上下を挟み込み、同軸ケーブル３００の左右は双脚形状部を構成する一対の脚１６ｂ，１６ｂで挟持する機械的接続を行う。また、既述のように、ケーブル保持具１６Ａ，１６Ｂをケーブル保持具装着穴１１１Ａ，１１１Ｂに挿入することで、同軸ケーブル３００の外部導体３０８が、シェル９とその両脇腕９３ｆ，９３ｒを介して接触しているグランドバー１９と、ケーブル保持具１６Ａ，１６Ｂとによって、それぞれ下および上で挟み込まれて電気的に接触する（図５，図６，図８，図３３，図３４参照）。よって、ケーブル保持具１６Ａ，１６Ｂは、同軸ケーブル３００の電気的接続および機械的接続の両方を同時に行える。このため作業性が向上する。
【００７７】
加えてこの実施形態に係る同軸ケーブル用コネクタでは、信号線３０６を被覆する多数の電線を横巻き状又は網状にしてなる外部導体を含む同軸ケーブル（網組同軸ケーブル）を対象にした場合を例示したが、ターミナル１７に半田付けをすることのみに使用するのであれば、外部導体が銅パイプ製のいわゆるセミリジッド構造の同軸ケーブルや、同軸ケーブル以外の所謂ディスクリート線であってもよい。
【００７８】
尚、本発明は、上述の図示例にのみ限定されるものではなく、本発明の要旨を逸脱しない範囲内において種々変更を加え得ることは勿論である。
【図面の簡単な説明】
【００７９】
【図１】本発明に係るコネクタを相手方コネクタに組み付ける前の状態を相手方コネクタと共に示す斜視図である。
【図２】相手方コネクタと本発明に係るコネクタとを組み付けた状態を示す斜視図およびその要部拡大図である。
【図３】本発明に係るコネクタの適用例であって、折り畳み形式の携帯電話に用いた場合を示す斜視図である。
【図４】本発明に係るコネクタの分解斜視図である。
【図５】図１の横断面図である。
【図６】図２の横断面図である。
【図７】本発明に係るコネクタの一部切欠き側面図と一部切欠き平面図をまとめて示し、（ａ）が一部切欠き平面図であり、（ｂ）が一部切欠き側面図である。
【図８】図７のＡ−Ａ線拡大断面図である。
【図９】図７のＢ−Ｂ線拡大断面図である。
【図１０】図７のＣ−Ｃ線拡大断面図である。
【図１１】ケーブル保持具の斜視図である。
【図１２】ケーブル保持具の正面図および側面図をまとめて示し、（ａ）が正面図であり、（ｂ）が側面図である。
【図１３】ターミナルを一方向から見た斜視図である。
【図１４】ターミナルを別方向から見た斜視図である。
【図１５】ハウジングのうちターミナルを含む部分の要部拡大平面図である。
【図１６】図１５の要部横断面図である。
【図１７】図１４においてターミナルに同軸ケーブルの内部導体をおいた場合の要部拡大平面図である。
【図１８】ターミナルと同軸ケーブルの内部導体とを半田付けする手順のうち第１手順を示す斜視図である。
【図１９】ターミナルと同軸ケーブルの内部導体とを半田付けする手順のうち第２手順を示す斜視図である。
【図２０】ターミナルと同軸ケーブルの内部導体とを半田付けする手順のうち第３手順を示す斜視図である。
【図２１】図１８の要部断面図と要部側断面図とを共に示し、（ａ）が要部断面図であり、（ｂ）が要部側断面図である。
【図２２】図１９の要部断面図と要部側断面図とを共に示し、（ａ）が要部断面図であり、（ｂ）が要部側断面図である。
【図２３】図２０の要部断面図と要部側断面図とを共に示し、（ａ）が要部断面図であり、（ｂ）が要部側断面図である。
【図２４】ハウジングの斜視図およびその要部拡大図である。
【図２５】図２４のハウジングにターミナルを取り付けた状態を示す斜視図およびその要部拡大図である。
【図２６】図２４のハウジングにグランドバーを取り付けた状態を示す斜視図およびその要部拡大図である。
【図２７】図２６のハウジングに同軸ケーブルを取り付けた状態を示す斜視図およびその要部拡大図である。
【図２８】図２７のハウジングにシェルを取り付けた状態を示す斜視図およびその要部拡大図である。
【図２９】図２８のハウジングに図中左から数えて奇数番目の同軸ケーブルを保持するケーブル保持具を組み込む直前の状態を示す斜視図およびその要部拡大図である。
【図３０】図２９のケーブル保持具をハウジングに組み込んだ直後の状態を示す斜視図およびその要部拡大図である。
【図３１】図３０のハウジングに図中左から数えて偶数番目の同軸ケーブルを保持するケーブル保持具を組み込む直前の状態を示す斜視図およびその要部拡大図である。。
【図３２】図３１のケーブル保持具をハウジングに組み込んだ直後の状態を示す斜視図およびその要部拡大図である。
【図３３】ハウジングに図中左から数えて奇数番目の同軸ケーブルを保持するケーブル保持具を組み込む直前の状態を示す垂直拡大断面図である。
【図３４】図３３に連続する図であって、ケーブル保持具をハウジングに組み込んだ直後の状態を示す図である。
【図３５】本発明に係るターミナルと、窪みおよび段差部が形成されていない従来のターミナルとを比較して示す図であり、（ａ）は本発明に係るターミナルであり、（ｂ）は従来のターミナルである。
【図３６】本発明に係るコネクタのシェルに貫通孔を形成した場合としなかった場合の効果を比較して説明するための図であり、（ａ）は本発明に係るシェルであり、（ｂ）は貫通孔のないシェルである。
【図３７】同軸ケーブルを示す斜視図である。
【図３８】同軸ケーブルの拡大横断面図である。
【図３９】同軸ケーブルがターミナルに半田付けされている状態を説明する図である。
【符号の説明】
【００８０】
１  コネクタ
１Ａ  コネクタ
２  相手方コネクタ
３  携帯電話
３ａ  液晶画面
３ｂ  操作ボタン
７  ハウジング
９  シェル
９Ａ  シェル
１１  ケーブル保持部
１３  ターミナル差込部
１５  中間部
１６Ａ  奇数番号のケーブルを保持するケーブル保持具
１６Ｂ  偶数番号のケーブルを保持するケーブル保持具
１６ａ  基板部
１６ｂ  脚
１６ｃ  溝
１７  ターミナル
１９  グランドバー
２１  相手方ハウジング
２３  相手方ターミナル差込部
２３ａ  圧入孔
２７  相手方ターミナル
２９  相手方シェル
９１  折返し部
９３ｆ，９３ｒ    脇腕
９５ｆ，９５ｒ  係止片
９７  平面凹部
９７Ａ  貫通孔
９７Ｂ  貫通孔
１１１Ａ，１１１Ｂ  ケーブル保持具装着穴
１１３  仕切壁
１３１  差込孔
１３３  ターミナル保持部
１５１  内部絶縁体設置部
１７１ｆ  前立脚
１７１ｒ  後立脚
１７２  連結部
１７３  係止片
１７４  半田領域
１７４ａ  窪み
１７５  連結部の両側面における他の側面域（他の部位）
１７６  半田領域が形成されていない他の平面域（他の部位）
１７８  段差
１７９  段差部
１９１Ａ  貫通孔
１９１Ｂ  貫通孔
２１１  係止突起
２７１  主部
２７３  延在部
２７３ａ  先端部
２９１  規制板
２９３ｆ，２９３ｒ  覆部
２９５ｆ，２９５ｒ  係合孔
２９７  係合孔
３００  同軸ケーブル
３００Ａ  奇数番目の同軸ケーブル
３００Ｂ  偶数番目の同軸ケーブル
３００ａ  先端部
３０２  内部導体
３０４  内部絶縁体
３０６  信号線
３０８  外部導体
３１０  外部絶縁体
３１０’  外部絶縁体の残皮部分
３１２  ターミナル
Ｃ  寸法
Ｆｈ  フィレット
Ｈ  半田
Ｈｉ  半田融着装置（パルスヒート又は半田鏝）
Ｗ１  各間口
Ｗ２  各間口
【図１】
2006244732.tif 000003
【図２】
2006244732.tif 000004
【図３】
2006244732.tif 000005
【図４】
2006244732.tif 000006
【図５】
2006244732.tif 000007
【図６】
2006244732.tif 000008
【図７】
2006244732.tif 000009
【図８】
2006244732.tif 000010
【図９】
2006244732.tif 000011
【図１０】
2006244732.tif 000012
【図１１】
2006244732.tif 000013
【図１２】
2006244732.tif 000014
【図１３】
2006244732.tif 000015
【図１４】
2006244732.tif 000016
【図１５】
2006244732.tif 000017
【図１６】
2006244732.tif 000018
【図１７】
2006244732.tif 000019
【図１８】
2006244732.tif 000020
【図１９】
2006244732.tif 000021
【図２０】
2006244732.tif 000022
【図２１】
2006244732.tif 000023
【図２２】
2006244732.tif 000024
【図２３】
2006244732.tif 000025
【図２４】
2006244732.tif 000026
【図２５】
2006244732.tif 000027
【図２６】
2006244732.tif 000028
【図２７】
2006244732.tif 000029
【図２８】
2006244732.tif 000030
【図２９】
2006244732.tif 000031
【図３０】
2006244732.tif 000032
【図３１】
2006244732.tif 000033
【図３２】
2006244732.tif 000034
【図３３】
2006244732.tif 000035
【図３４】
2006244732.tif 000036
【図３５】
2006244732.tif 000037
【図３６】
2006244732.tif 000038
【図３７】
2006244732.tif 000039
【図３８】
2006244732.tif 000040
【図３９】
2006244732.tif 000041